(57)【要約】  ピア発見パイロット送信の中央制御のための技法が説明される。一態様では、指定されたネットワークエンティティ（例えば、基地局またはネットワークコントローラ）がそのカバレージエリア内に位置する局によるピア発見パイロットの送信を制御できる。ある設計において、ネットワークエンティティはピア発見パイロット送信をトリガするシグナリングを受信できる。ネットワークエンティティは１つまたは複数の局に少なくとも１つの局を検出させるためにピア発見パイロットを送信することをその少なくとも１つの局の各々に指示できる。ピア発見パイロットは少なくとも１つの同期信号または少なくとも１つの基準信号を含むことができる。ネットワークエンティティはピア局からのピア発見パイロットおよび／または基地局からの基準信号について１つまたは複数の局からパイロット測定値を受信できる。ネットワークエンティティは２つの局のためにピアツーピア通信を選択すべきか否かをパイロット測定値に基づいて判断できる。
2012514435.tif 000002
【特許請求の範囲】
【請求項１】
ピアツーピア通信をサポートする方法であって、
ピア発見パイロット送信をトリガするシグナリングをネットワークエンティティで受信することと、
１つまたは複数の局に少なくとも１つの局を検出させるためにピア発見パイロットを送信することを前記少なくとも１つの局の各々に指示することと、
を備える方法。
【請求項２】
シグナリングを前記受信することが、
第２の局との通信を開始するために第１の局によって送られたシグナリングを受信することを備える、請求項１に記載の方法
【請求項３】
ピア発見パイロットを送信するように前記少なくとも１つの局の各々に前記指示することは、前記第１の局に前記第２の局を検出させるためにピア発見パイロットを送信することを前記第２の局に指示することを備える、請求項２に記載の方法。
【請求項４】
ピア発見パイロットを送信するように前記少なくとも１つの局の各々に前記指示することは、前記第２の局に前記第１の局を検出させるためにピア発見パイロットを送信することを前記第１の局に指示することを備える、請求項２に記載の方法。
【請求項５】
ピア発見パイロットを送信するように前記少なくとも１つの局の各々に前記指示することは、前記第１の局が前記第２の局を検出することができ、前記第２の局に前記第１の局を検出させるためにピア発見パイロットを送信することを前記第１の局および前記第２の局の各々に指示することを備える、請求項２に記載の方法。
【請求項６】
シグナリングを前記受信することは、特定のクラスの局の中の任意の局との通信を開始するために第１の局からシグナリングを受信することを備え、
ピア発見パイロットを送信することを前記少なくとも１つの局の各々に前記指示することは、前記第１の局に前記特定のクラス中の局を検出させるためにピア発見パイロットを送信することを前記特定のクラス中の各局に指示することを備える、請求項１に記載の方法。
【請求項７】
シグナリングを前記受信することは、フェムトセルとの通信を開始するためにユーザ機器（ＵＥ）からシグナリングを受信することを備え、
ピア発見パイロットを送信することを前記少なくとも１つの局の各々に前記指示することは、前記ＵＥがアクティブになったとき、または前記ＵＥの地理的ロケーションに基づいて、または前記ＵＥの無線ロケーションに基づいて、または前記ＵＥの地理的ロケーションもしくは無線ロケーションの履歴に基づいて、またはその組合せに基づいて、ピア発見パイロットを送信することを前記フェムトセルに指示することを備える、請求項１に記載の方法。
【請求項８】
前記１つまたは複数の局からパイロット測定値を受信することと、
第１の局および第２の局のためにピアツーピア通信を選択すべきか否かを前記パイロット測定値に基づいて判断することとをさらに備え、前記第１の局が前記少なくとも１つの局のうちの１つであり、前記第２の局が前記１つまたは複数の局のうちの１つである、請求項１に記載の方法。
【請求項９】
ピアツーピア通信が選択された場合に前記第１の局および前記第２の局にリソースを割り当てることと、
ピアツーピア通信が選択された場合に前記割り当てられたリソースを示す情報を送ることと、をさらに備える、請求項８に記載の方法。
【請求項１０】
ピア発見パイロットを送信することを前記少なくとも１つの局の各々に指示する前に、ワイヤレスワイドエリアネットワーク（ＷＷＡＮ）中の少なくとも１つの基地局を介した前記第１の局と前記第２の局との間の通信をサポートすることと、
ピア発見パイロットを送信することを前記少なくとも１つの局の各々に指示した後に、ピアツーピアに通信することを前記第１の局および前記第２の局に指示することと、
をさらに備える、請求項２に記載の方法。
【請求項１１】
前記少なくとも１つの局についての情報、または前記１つまたは複数の局についての情報、または少なくとも１つの局の各々からの前記ピア発見パイロットについての情報、またはその組合せを交換するために、前記ネットワークエンティティと第２のネットワークエンティティとの間で通信することをさらに備え、前記少なくとも１つの局と前記１つまたは複数の局との第１のサブセットが前記ネットワークエンティティの制御下にあり、前記少なくとも１つの局と前記１つまたは複数の局との第２のサブセットが前記第２のネットワークエンティティの制御下にある、
請求項１に記載の方法。
【請求項１２】
前記ピア発見パイロットは少なくとも１つの同期信号を備える、請求項１に記載の方法。
【請求項１３】
前記ピア発見パイロットは少なくとも１つの基準信号を備える、請求項１に記載の方法。
【請求項１４】
前記ピア発見パイロットは少なくとも１つの物理チャネル上の少なくとも１つの送信を備え、前記少なくとも１つの送信はピア発見のために使用される、請求項１に記載の方法。
【請求項１５】
前記ネットワークエンティティは基地局であって、この基地局のカバレージ内のユーザ機器（ＵＥ）のためのピアツーピア通信を制御するものである、請求項１に記載の方法。
【請求項１６】
前記ネットワークエンティティが、セルのクラスタ中のユーザ機器（ＵＥ）のためのピアツーピア通信を制御するネットワークコントローラである、請求項１に記載の方法。
【請求項１７】
ピアツーピア通信をサポートするための装置であって、
ピア発見パイロット送信をトリガするシグナリングを受信するための手段と、
１つまたは複数の局に少なくとも１つの局を検出させるためにピア発見パイロットを送信することを前記少なくとも１つの局の各々に指示するための手段と
を備える、装置。
【請求項１８】
シグナリングを受信するための前記手段は、第２の局との通信を開始するために、第１の局によって送られたシグナリングを受信するための手段を備え、
ピア発見パイロットを送信することを前記少なくとも１つの局の各々に指示するための前記手段は、前記第１の局に前記第２の局を検出させるためにピア発見パイロットを送信することを前記第２の局に指示するための手段、または前記第２の局に前記第１の局を検出させるためにピア発見パイロットを送信することを前記第１の局に指示するための手段、または前記第１の局に前記第２の局を検出させ前記第２の局に前記第１の局を検出させるためにピア発見パイロットを送信することを前記第１の局および前記第２の局の各々に指示するための手段を備える、請求項１７に記載の装置。
【請求項１９】
シグナリングを受信するための前記手段は、特定のクラスの局の中の任意の局との通信を開始するために第１の局からシグナリングを受信するための手段を備え、
ピア発見パイロットを送信することを前記少なくとも１つの局の各々に指示するための前記手段は、前記第１の局に前記特定のクラス中の局を検出させるためにピア発見パイロットを送信することを前記特定のクラス中の各局に指示するための手段を備える、請求項１７に記載の装置。
【請求項２０】
シグナリングを受信するための前記手段は、フェムトセルとの通信を開始するためにユーザ機器（ＵＥ）からシグナリングを受信するための手段を備え、
ピア発見パイロットを送信することを前記少なくとも１つの局の各々に指示するための前記手段は、前記ＵＥがアクティブになったとき、または前記ＵＥの地理的ロケーションに基づいて、または前記ＵＥの無線ロケーションに基づいて、または前記ＵＥの地理的ロケーションもしくは無線ロケーションの履歴に基づいて、またはその組合せに基づいて、ピア発見パイロットを送信することを前記フェムトセルに指示するための手段を備える、請求項１７に記載の装置。
【請求項２１】
前記１つまたは複数の局からパイロット測定値を受信するための手段と、
第１の局と第２の局とについてピアツーピア通信を選択すべきか否かを前記パイロット測定値に基づいて判断するための手段をさらに備え、前記第１の局が前記少なくとも１つの局のうちの１つであり、前記第２の局が前記１つまたは複数の局のうちの１つである、
請求項１７に記載の装置。
【請求項２２】
ピアツーピア通信が選択された場合に前記第１の局と前記第２の局とにリソースを割り当てるための手段と、
ピアツーピア通信が選択された場合に前記割り当てられたリソースを示す情報を送るための手段と、
をさらに備える、請求項２１に記載の装置。
【請求項２３】
ピアツーピア通信をサポートするための装置であって、
ピア発見パイロット送信をトリガするシグナリングを受信し、１つまたは複数の局に少なくとも１つの局を検出させるためにピア発見パイロットを送信することを前記少なくとも１つの局の各々に指示するように構成された少なくとも１つのプロセッサを備える、装置。
【請求項２４】
前記少なくとも１つのプロセッサは、第２の局との通信を開始するために、第１の局によって送られたシグナリングを受信し、前記第１の局に前記第２の局を検出させるためにピア発見パイロットを送信することを前記第２の局に指示するか、または前記第２の局に前記第１の局を検出させるためにピア発見パイロットを送信することを前記第１の局に指示するか、または前記第１の局に前記第２の局を検出させて前記第２の局に前記第１の局を検出させるためにピア発見パイロットを送信することを前記第１の局および前記第２の局の各々に指示するように構成された、請求項２３に記載の装置。
【請求項２５】
前記少なくとも１つのプロセッサは、特定のクラスの局の中の任意の局との通信を開始するために第１の局からシグナリングを受信し、前記第１の局に前記特定のクラス中の局を検出させるためにピア発見パイロットを送信することを前記特定のクラス中の各局に指示するように構成された、請求項２３に記載の装置。
【請求項２６】
前記少なくとも１つのプロセッサは、フェムトセルとの通信を開始するためにユーザ機器（ＵＥ）からシグナリングを受信し、前記ＵＥがアクティブになったとき、または前記ＵＥの地理的ロケーションに基づいて、または前記ＵＥの無線ロケーションに基づいて、または前記ＵＥの地理的ロケーションもしくは無線ロケーションの履歴に基づいて、またはその組合せに基づいて、ピア発見パイロットを送信することを前記フェムトセルに指示するように構成された、請求項２３に記載の装置。
【請求項２７】
前記少なくとも１つのプロセッサは、前記１つまたは複数の局からパイロット測定値を受信し、第１の局と第２の局とについてピアツーピア通信を選択すべきか否かを前記パイロット測定値に基づいて判断するように構成され、前記第１の局が前記少なくとも１つの局のうちの１つであり、前記第２の局が前記１つまたは複数の局のうちの１つである、請求項２３に記載の装置。
【請求項２８】
前記少なくとも１つのプロセッサは、ピアツーピア通信が選択された場合に前記第１の局と前記第２の局とにリソースを割り当て、ピアツーピア通信が選択された場合に前記割り当てられたリソースを示す情報を送るように構成された、請求項２７に記載の装置。
【請求項２９】
コンピュータプログラム製品であって、
ピア発見パイロット送信をトリガするシグナリングをネットワークエンティティで受信することを少なくとも１つのコンピュータに行わせるためのコードと、
１つまたは複数の局に少なくとも１つの局を検出させるためにピア発見パイロットを送信することを前記少なくとも１つの局の各々に指示することを前記少なくとも１つのコンピュータに行わせるためのコードと、
を含むコンピュータ可読媒体を備えるコンピュータプログラム製品。
【請求項３０】
ピアツーピア通信をサポートする方法であって、
ピア発見パイロットを送信する指示であってネットワークエンティティによって第１の局に送られる前記指示を受信することと、
１つまたは複数の局に前記第１の局を検出させるために前記第１の局から前記ピア発見パイロットを送信することと、
を備える、方法。
【請求項３１】
第２の局との通信を開始するために前記第１の局からシグナリングを送ることをさらに備え、ピア発見パイロットを送信する前記指示は前記シグナリングに基づいて前記ネットワークエンティティによって生成される、請求項３０に記載の方法。
【請求項３２】
ピア発見パイロットを送信する前記指示は、前記第１の局との通信を開始するために、第２の局によって送られたシグナリングに基づいて前記ネットワークエンティティによって生成される、請求項３０に記載の方法。
【請求項３３】
ピア発見パイロットを送信する前記指示は、特定のクラスの局の中の任意の局との通信を開始するために、第２の局によって送られたシグナリングに基づいて前記ネットワークエンティティによって生成され、前記第１の局は前記特定のクラスに属する、請求項３０に記載の方法。
【請求項３４】
前記第１の局はフェムトセルであり、ピア発見パイロットを送信する前記指示は、前記フェムトセルによってサービスされるユーザ機器（ＵＥ）がアクティブになっていることに基づいて、または前記ＵＥの地理的ロケーションに基づいて、または前記ＵＥの無線ロケーションに基づいて、または前記ＵＥの地理的ロケーションもしくは無線ロケーションの履歴に基づいて、またはその組合せに基づいて、前記ネットワークエンティティによって生成される、請求項３０に記載の方法。
【請求項３５】
第２の局とピアツーピアに通信することをさらに備え、
ピアツーピア通信が前記第１の局からの前記ピア発見パイロットについての前記第２の局によって行われたパイロット測定に基づいて前記ネットワークエンティティによって選択される、請求項３０に記載の方法。
【請求項３６】
前記ピア発見パイロットの送信は、前記ネットワークエンティティからの前記指示を受信する前に前記第１の局によって開始され、その後、前記ピア発見パイロットの送信が前記ネットワークエンティティによって制御される、請求項３０に記載の方法。
【請求項３７】
ピアツーピア通信をサポートするための装置であって、
ピア発見パイロットを送信する指示であってネットワークエンティティによって第１の局に送られる前記指示を受信するための手段と、
１つまたは複数の局に前記第１の局を検出させるために前記第１の局から前記ピア発見パイロットを送信するための手段と
を備える、装置。
【請求項３８】
第２の局との通信を開始するために前記第１の局からシグナリングを送るための手段をさらに備え、
ピア発見パイロットを送信する前記指示は、前記シグナリングに基づいて、前記ネットワークエンティティによって生成される、請求項３７に記載の装置。
【請求項３９】
ピア発見パイロットを送信する前記指示は、前記第１の局との通信を開始するために、第２の局によって送られたシグナリングに基づいて前記ネットワークエンティティによって生成される、請求項３７に記載の装置。
【請求項４０】
第２の局とピアツーピアに通信するための手段をさらに備え、
ピアツーピア通信が前記第１の局からの前記ピア発見パイロットのために前記第２の局によって行われたパイロット測定に基づいて前記ネットワークエンティティによって選択される、請求項３７に記載の装置。
【請求項４１】
ピアツーピア通信をサポートする方法であって、
第１の局からピア発見パイロットを受信することと、
第２の局によって前記ピア発見パイロットのパイロット測定を行うことと、
前記第２の局からネットワークエンティティにパイロット測定値を送ることと、
を備える、方法。
【請求項４２】
前記第１の局との通信を開始するために前記第２の局から前記ネットワークエンティティにシグナリングを送ることをさらに備え、前記第１の局による前記ピア発見パイロットの送信は前記シグナリングに応答して前記ネットワークエンティティによって開始される、請求項４１に記載の方法。
【請求項４３】
前記第１の局による前記ピア発見パイロットの送信は、前記第２の局との通信を開始するために、前記第１の局によって送られたシグナリングに応答して前記ネットワークエンティティによって開始される、請求項４１に記載の方法。
【請求項４４】
特定のクラスの局の中の任意の局との通信を開始するために前記第２の局から前記ネットワークエンティティにシグナリングを送ることをさらに備え、
前記第１の局は前記特定のクラスに属し、前記第１の局による前記ピア発見パイロットの送信は前記シグナリングに応答して前記ネットワークエンティティによって開始される、請求項４１に記載の方法。
【請求項４５】
前記第１の局はフェムトセルであり、前記第２の局は前記フェムトセルによってサービスされるユーザ機器（ＵＥ）であり、前記第１の局による前記ピア発見パイロットの送信は、前記ＵＥがアクティブになったとき、または前記ＵＥの地理的ロケーションに基づいて、または前記ＵＥの無線ロケーションに基づいて、または前記ＵＥの地理的ロケーションもしくは無線ロケーションの履歴に基づいて、またはその組合せに基づいて前記ネットワークエンティティによって開始される、請求項４１に記載の方法。
【請求項４６】
前記第１の局とピアツーピアに通信することをさらに備え、
ピアツーピア通信が前記第２の局からの前記パイロット測定値に基づいて前記ネットワークエンティティによって選択される、請求項４１に記載の方法。
【請求項４７】
ピアツーピア通信をサポートするための装置であって、
第１の局からピア発見パイロットを受信するための手段と、
第２の局によって前記ピア発見パイロットのパイロット測定を行うための手段と、
前記第２の局からネットワークエンティティにパイロット測定値を送るための手段と、
を備える、装置。
【請求項４８】
前記第１の局との通信を開始するために前記第２の局から前記ネットワークエンティティにシグナリングを送るための手段をさらに備え、
前記第１の局による前記ピア発見パイロットの送信は前記シグナリングに応答して前記ネットワークエンティティによって開始される、請求項４７に記載の装置。
【請求項４９】
前記第１の局による前記ピア発見パイロットの送信は、前記第２の局との通信を開始するために、前記第１の局によって送られたシグナリングに応答して前記ネットワークエンティティによって開始される、請求項４７に記載の装置。
【請求項５０】
前記第１の局とピアツーピアに通信するための手段をさらに備え、
ピアツーピア通信が前記第２の局からの前記パイロット測定値に基づいて前記ネットワークエンティティによって選択される、請求項４７に記載の装置。
【発明の詳細な説明】
【関連出願】
【０００１】
本出願は、本出願の譲受人に譲渡され、参照により本明細書に組み込まれる、２００８年１２月３０日に出願された「CENTRALIZED PROXIMITY DETECTION」と題する米国仮出願第６１／１４１，６２８号の優先権を主張する。
【技術分野】
【０００２】
本開示は、一般に通信に関し、より詳細には、ワイヤレス通信ネットワークにおける通信をサポートするための技法に関する。
【背景技術】
【０００３】
ワイヤレス通信ネットワークは、ボイス、ビデオ、パケットデータ、メッセージング、ブロードキャストのような様々な通信コンテンツを提供するために広く展開されている。これらワイヤレスネットワークは、利用可能なネットワークリソースを共有することによって複数のユーザをサポート可能な多元接続ネットワークであることができる。これらのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
１つのワイヤレス通信ネットワークがいくつかのユーザ機器（ＵＥ）のための通信をサポート可能ないくつかの基地局を含むことができる。１つのＵＥがダウンリンクおよびアップリンクを介して１つの基地局と通信できる。ダウンリンク（または順方向リンク）はこの基地局からこのＵＥへの通信リンクを指し、アップリンク（または逆方向リンク）はこのＵＥからこの基地局への通信リンクを指す。このＵＥはピアツーピア通信によって直接別のＵＥと通信することもできる。良好なパフォーマンスをこのＵＥとこのネットワークの両方について達成可能なようにこのＵＥの通信を制御することが望ましい。
【発明の概要】
【０００５】
ピア発見パイロット送信の中央制御のための技法を本明細書において説明する。一態様では、指定されたネットワークエンティティ（例えば、基地局やネットワークコントローラ）がそのカバレージエリア内に位置する局によってピア発見パイロットの送信を制御できる。ピア発見パイロットはパイロットまたは既知の送信されるものであって、このパイロットまたは既知の送信されるものを送信する局を発見するためにピア局によって使用される。
【０００６】
ある設計において、ネットワークエンティティはピア発見パイロット送信をトリガするシグナリングを受信できる。このネットワークエンティティは、１つまたは複数の局に少なくとも１つの局を検出させるためにピア発見パイロットを送信することを少なくとも１つの局の各々に指示できる。このピア発見パイロットは少なくとも１つの同期信号や、少なくとも１つの基準信号や、少なくとも１つの物理チャネル上の少なくとも１つの送信されるものを含むことができる。
【０００７】
ある設計において、このネットワークエンティティは第２の局との通信を開始するために第１の局によって送られたシグナリングを受信できる。このネットワークエンティティは、この後（ｉ）第１の局に第２の局を検出させるためにピア発見パイロットを送信することを第２の局に指示したり、（ｉｉ）第２の局に第１の局を検出させるためにピア発見パイロットを送信することを第１の局に指示したり、（ｉｉｉ）各局に他の局を検出させるためにピア発見パイロットを送信することを両方の局に指示したりする。別の設計において、このネットワークエンティティは特定のクラスの局の中の任意の局との通信を開始するために第１の局からのシグナリングを受信できる。このネットワークエンティティは、この後、第１の局に特定のクラス中の局を検出させるためにピア発見パイロットを送信することをその特定のクラス中の各局に指示する。さらに別の設計において、このネットワークエンティティはフェムトセルとの通信を開始するためにＵＥからのシグナリングを受信できる。ネットワークエンティティは、この後ＵＥがアクティブになった場合、あるいは何らかの他の基準に基づいて、ピア発見パイロットを送信することをこのフェムトセルに指示する。また、このネットワークエンティティはピア発見パイロット送信をトリガする他のシグナリングを受信できる。
【０００８】
このネットワークエンティティは１つまたは複数の局から複数のパイロット測定値を受信できる。各局からのこれらパイロット測定値はピア発見パイロットについてのパイロット測定値、および／または基地局からの基準信号についてのパイロット測定値を含むことができる。このネットワークエンティティはこれらパイロット測定値に基づいて２つの局のためのピアツーピア通信を選択すべきか否かを判断できる。一方の局がピア発見パイロットを送信する局でよく、他方の局がこのピア発見パイロットを受信する局でよい。ピアツーピア通信が選択された場合、このネットワークエンティティがリソースをこれら２つの局に割り当てて、割り当てられたリソースを示す情報をこれらの局に送ることができる。これら２つの局は、この後、割り当てられたリソースを使用してピアツーピアに通信できる。
【０００９】
本開示の様々な態様および特徴を以下においてさらに詳細に説明する。
【図面の簡単な説明】
【００１０】
【図１】ワイヤレス通信ネットワークを示す図。
【図２】ピア発見パイロット送信の中央制御のためのプロセスを示す図。
【図３】例示的なフレーム構造を示す図。
【図４】ネットワークエンティティによるピアツーピア通信をサポートするためのプロセスを示す図。
【図５】ネットワークエンティティによるピアツーピア通信をサポートするための装置を示す図。
【図６】ピア発見パイロットを送信するためのプロセスを示す図。
【図７】ピア発見パイロットを送信するための装置を示す図。
【図８】ピア発見パイロットを受信するためのプロセスを示す図。
【図９】ピア発見パイロットを受信するための装置を示す図。
【図１０】基地局および２つの局の設計を示す図。
【発明を実施するための形態】
【００１１】
本明細書で説明する技法は、ＣＤＭＡ、ＴＤＭＡ、ＦＤＭＡ、ＯＦＤＭＡ、ＳＣ−ＦＤＭＡおよび他のネットワークのような様々なワイヤレス通信ネットワークに使用できる。「ネットワーク」および「システム」という用語は、しばしば互いに置き替え可能に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実施できる。ＵＴＲＡは、広帯域ＣＤＭＡ（ＷＣＤＭＡ）およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標)）などの無線技術を実施できる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ＦＬＡＳＨ−ＯＦＤＭ（登録商標）などの無線技術を実施できる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上述のワイヤレスネットワークおよび無線技術、並びに他のワイヤレスネットワークおよび無線技術のために使用できる。明快さのために、本技法のいくつかの態様がＬＴＥについて以下に説明され、ＬＴＥ用語が以下の説明の大部分において使用される。
【００１２】
図１は、ワイヤレスワイドエリアネットワーク（ＷＷＡＮ）とすることができるワイヤレス通信ネットワーク１００を示す。ネットワーク１００は、ＬＴＥネットワークまたは何らかの他のＷＷＡＮのようなセルラーネットワークであることができる。ネットワーク１００は、いくつかの進化型ノードＢ（ｅＮＢ）、およびいくつかのＵＥのための通信をサポートできる他のネットワークエンティティを含むことができる。ｅＮＢは、ＵＥと通信する局であってよく、基地局、ノードＢ、アクセスポイントなどと呼ばれてもよい。ｅＮＢは、特定の地理的エリアのための通信カバレージを提供できる。３ＧＰＰでは、「セル」という用語は、その用語が使用される状況に応じて、ｅＮＢのカバレージエリアおよび／またはこのカバレージエリアにサービスしているｅＮＢサブシステムを指すことができる。ｅＮＢは、１つまたは複数の（例えば、３つの）セルをサポートできる。
【００１３】
ｅＮＢは、マクロセル、ピコセル、フェムトセル、および／または他のタイプのセルのための通信カバレージを提供できる。マクロセルは、比較的大きい地理的エリア（例えば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（例えば、家庭）をカバーし、フェムトセルとの関連を有するＵＥ（例えば、限定加入者グループ（ＣＳＧ）中のＵＥ）による限定アクセスを可能にする。マクロセルのためのｅＮＢはマクロｅＮＢと呼ばれることができる。ピコセルのためのｅＮＢはピコｅＮＢと呼ばれることができる。フェムトセルのためのｅＮＢはフェムトｅＮＢまたはホームｅＮＢと呼ばれることができる。図１では、ｅＮＢ１１０がマクロセル１０２のためのマクロｅＮＢであってよく、ｅＮＢ１１４がピコセル１０４のためのピコｅＮＢであってよく、ｅＮＢ１１６がフェムトセル１０６のためのフェムトｅＮＢであることができる。「基地局」、「ｅＮＢ」、および「セル」という用語は互いに置き替え可能に使用できる。
【００１４】
中継局１１８は、上流局（例えば、ｅＮＢ１１０やＵＥ１２８）からのデータおよび／または他の情報の送信を受信し、データおよび／または他の情報の送信を下流局（例えば、ＵＥ１２８やｅＮＢ１１０）に送る局であることができる。中継局は他のＵＥのための送信を中継するＵＥであることもできる。中継局は、リレー、リレーｅＮＢ、リレーＵＥなどと呼ばれることもある。図１において、中継局１１８は、ＵＥ１２８とｅＮＢ１１０との間の通信を可能にするために、アクセスリンクを介してＵＥ１２８と通信し、バックホールリンクを介してｅＮＢ１１０と通信できる。
【００１５】
ＵＥ１２０〜１２８は、ワイヤレスネットワーク全体に散らばることができ、各ＵＥは固定あるいは移動であることができる。ＵＥは、端末、移動局、加入者ユニット、局などと呼ばれることもできる。ＵＥは、セルラーフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などであることができる。ＵＥは、ＷＷＡＮ中のｅＮＢおよび／または中継局と通信できる。ＵＥは、ＩＥＥＥ８０２．１１（Ｗｉ−Ｆｉ）や何らかの他の無線技術を利用できるワイヤレスローカルエリアネットワーク（ＷＬＡＮ）中のアクセスポイントと通信することもできる。ＵＥは、Ｂｌｕｅｔｏｏｔｈ(登録商標)や何らかの他の無線技術を利用できる、ワイヤレスパーソナルエリアネットワーク（ＷＰＡＮ）中の他のデバイスと通信することもできる。
【００１６】
ネットワークコントローラ１４０は、複数のｅＮＢのセットに結合でき、これらｅＮＢの調整および制御を行うことができる。ネットワークコントローラ１４０は、無線ネットワークコントローラ（ＲＮＣ）、移動交換センター（ＭＳＣ）、モビリティ管理エンティティ（ＭＭＥ）、サービングゲートウェイ（ＳＧＷ）、パケットデータネットワーク（ＰＤＮ）ゲートウェイ（ＰＧＷ）、および／または何らかの他のネットワークエンティティを備えることができる。
【００１７】
一般に、マクロｅＮＢは、任意の数の局と通信できる。マクロｅＮＢは、そのカバレージ内で複数の局のための通信を制御することもできる。局は、ＵＥ、中継局、フェムトｅＮＢ、ピコｅＮＢ、プリンタなどの周辺デバイスであることができる。簡単のために、以下の説明の大部分では、マクロｅＮＢが単にｅＮＢと呼ばれることがある。
【００１８】
ネットワーク１００は、局間のピアツーピア（Ｐ２Ｐ）通信をサポートできる。Ｐ２Ｐ通信の場合、２つの局（例えば、ＵＥ１２０および１２２）は、ＷＷＡＮ中のｅＮＢと通信することなしに、直接互いと通信できる。Ｐ２Ｐ通信は、局間のローカル通信のためのＷＷＡＮ上の負荷を低減できる。これらＵＥ間のＰ２Ｐ通信は、これらＵＥのうちの１つが、他のＵＥのためのリレーとして働くことを可能にし、それによって、他のＵＥがｅＮＢに接続することを可能にする。
【００１９】
Ｐ２Ｐを容易にするために、Ｐ２Ｐ通信が可能なすべての局は、他の局に送信局を発見させるためにパイロットを送信できる。パイロットは、送信局と受信局の両方によってアプリオリに知られる信号または送信である。パイロットは、基準信号、同期信号、プリアンブルなどと呼ばれることもできる。ピア局の発見のために使用されるパイロットは、ピア発見パイロットと呼ばれることができる。複数の局が常にピア発見パイロットを送信することは、局のバッテリー寿命を低減でき、特に、送信局との通信に関心がある他の局がないときに望ましいことでない。さらに、局によるピア発見パイロットの連続的な送信は干渉を増加させ、これによりこうしたパイロット送信のための帯域幅の大部分を消費することがある。
【００２０】
一態様では、ピア発見パイロット送信の中央制御がパフォーマンスを改善するためにサポートされ得る。指定されたネットワークエンティティは、そのカバレージエリア内に位置する局によるピア発見パイロットの送信を制御できる。このカバレージエリアは、セル、セルのクラスタなどであることができる。ある設計では、ネットワークエンティティは、そのカバレージ内の局のためのピア発見パイロット送信を制御可能なｅＮＢであることができる。別の設計では、ネットワークエンティティは、セルのクラスタ中の局のためのピア発見パイロット送信を制御可能な、ＭＭＥなどのネットワークコントローラであることができる。
【００２１】
図２は、ピア発見パイロット送信の中央制御およびＰ２Ｐ通信のためのプロセス２００の設計を示す。明快のために、プロセス２００では、設計されたネットワークエンティティはｅＮＢ（例えば、図１中のｅＮＢ１１０）であると仮定する。最初に、局Ａ（例えば、図１中のＵＥ１２０）は、ｅＮＢを検出し、その存在をｅＮＢに通知する（ステップ１）。ｅＮＢは、局Ａに最も近接したｅＮＢとすることも、何らかの他の基準に基づいて選択することもできる。局Ａは、登録中にレイヤ３（Ｌ３）シグナリングによって、その存在およびそのＰ２Ｐ機能を通知できる。従って、ｅＮＢは、局Ａの存在およびそのＰ２Ｐ機能に気づく。
【００２２】
局Ｂ（例えば、図１中のＵＥ１２２）は、局Ａと通信することを望み、この要望を示すためにメッセージをｅＮＢに送る（ステップ２）。例えば、局Ｂは、局Ａと呼を開始するために要求を送り、局ＡのＵＥ識別情報（ＩＤ）並びに局ＢのＰ２Ｐ機能をｅＮＢに与えることができる。別の例として、局ＢはｅＮＢに登録するか、またはネイバーｅＮＢに登録し、この後ネイバーｅＮＢが局Ｂの存在をｅＮＢに通知できる。ネイバーｅＮＢを介した登録は、近隣セル中ではあるが、互いに近接して位置する２つの局間のＰ２Ｐ通信を可能にする。一般に、ｅＮＢは、局Ａと通信する、局Ｂの要望を示すことができるシグナリングを受信できる。
【００２３】
ｅＮＢは、局Ａと局Ｂの両方がＰ２Ｐ通信をサポートすることを把握できるが、局Ａと局Ｂとが互いの範囲内にあるかどうかを知ることができない。図２に示されたある設計では、以下で説明するように（ステップ３）、ｅＮＢは、ピア発見パイロットの送信を開始するように局Ａに指示し、ピア発見パイロットを生成および／または送信するための関係するパラメータを与える。ｅＮＢはまた、局Ａからのピア発見パイロットを検出するように局Ｂに指示できる（図２に図示せず）。代替的に、局Ｂは、ｅＮＢからの指示なしに局Ａからのピア発見パイロットを自律的に検出できる。
【００２４】
局Ａは、ｅＮＢからの指示文を受信し、ピア発見パイロットの送信を開始する（ステップ４）。局Ｂは、局Ａからのピア発見パイロットを検出し、パイロット強度および／または他のリンクメトリックの測定を行う（ステップ５）。局Ｂはまた、ｅＮＢからのパイロット（例えば、セル固有の基準信号）の測定を行う（同じくステップ５）。局Ｂは、この後、パイロット測定値をｅＮＢに送る（ステップ６）。また、局Ａの近傍の他の局は、局Ａからのピア発見パイロットの測定を行い、例えば、パイロット強度がしきい値を越える場合、それらのパイロット測定値をｅＮＢに報告できる。ｅＮＢは、干渉管理のために、他の局からのパイロット測定値を使用できる。ｅＮＢは、例えば局Ａおよび局Ｂが近傍の他の局に高い干渉をもたらしそうな場合に局Ａおよび局ＢについてＰ２Ｐ通信を選択しないことを判断する。局Ａはまた、ｅＮＢからのパイロットの測定を行い（ステップ７）、パイロット測定値をｅＮＢに送る（ステップ８）。
【００２５】
ｅＮＢは、局Ａおよび局Ｂ、ことによると近傍の他の局からのパイロット測定値を受信できる。ｅＮＢは、局Ａおよび局Ｂからのパイロット測定値に基づいて、局Ａと局Ｂとの間のＰ２Ｐ通信リンクの品質、局ＡとｅＮＢとの間のＷＷＡＮ通信リンクの品質、並びに局ＢとｅＮＢとの間のＷＷＡＮ通信リンクの品質を判断できる。ｅＮＢは、この後、様々な通信リンクの品質に基づいて、局Ａおよび局ＢについてＰ２Ｐ通信またはＷＷＡＮ通信（すなわち、ＷＷＡＮを介した通信）のいずれかを選択する（ステップ９）。ｅＮＢは、ピアツーピアによって直接通信することと、ＷＷＡＮを介して間接的に通信することとのどちらが局Ａおよび局Ｂにとってより良いかに基づいて、この選択を行うことができる。例えば局Ａおよび局Ｂが互いに極めて離れている場合や、異なるセル／地理的エリア中にある場合に、ｅＮＢは例えば、ＷＷＡＮリソースを使用してＷＷＡＮを介して通信することがこれらの局にとってより良いであろうと判断できる。逆に、局Ａおよび局Ｂが互いに比較的近接している場合、ｅＮＢは、ＷＷＡＮリソースが利用されないように、これらの局に互いに直接通信することを命令する。ある設計では、ｅＮＢは、Ｐ２Ｐリンク品質をしきい値と比較し、Ｐ２Ｐリンク品質がしきい値を越える場合に、Ｐ２Ｐ通信を選択し、他の場合にＷＷＡＮ通信を選択できる。ｅＮＢは、他の方式で局Ａおよび局ＢについてＰ２Ｐ通信かＷＷＡＮ通信かを選択することもできる。
【００２６】
ｅＮＢは、Ｐ２Ｐ通信がより良いと判断し、Ｐ２Ｐ通信のためのリソースを局Ａおよび局Ｂに割り当てる（同じくステップ９）。ｅＮＢは、ＵＥとして働くことのできる１つの局に、他の局とのＰ２Ｐ通信のためのｅＮＢとして働くように命令する（ステップ１０）。例えば、ｅＮＢは局ＡにｅＮＢとして働くように命令し、局ＢがＵＥとして働くようにできる（図２に示すように）。代替的に、ｅＮＢは局ＢにｅＮＢとして働くように命令し、局ＡがＵＥとして働くようにできる（図２に図示せず）。ある設計において、ｅＮＢとして働く局はダウンリンク上で送信し、アップリンク上で受信できる。ＵＥとして働く局はアップリンク上で送信し、ダウンリンク上で受信できる。ｅＮＢは割り当てられたリソースを局Ａおよび局Ｂに送ることができる（ステップ１０および１１）。局Ａおよび局Ｂは、この後、割り当てられたリソースを使用してピアツーピアに通信する（ステップ１２）。
【００２７】
図２には示されていないが、ｅＮＢは、ＷＷＡＮ通信がＰ２Ｐ通信よりも良いと判断し、この後局Ａに、そのピア発見パイロットの送信を止めて通常のＵＥのように動作することを指示する。局Ａおよび局Ｂは、この後ＷＷＡＮ通信のためにｅＮＢを介して互いに通信できる。ｅＮＢは周期的にピア発見パイロットを送信することを局Ａに要求できる。局Ａおよび局Ｂは、Ｐ２Ｐ通信に切り替えるべきかどうかを判断できるｅＮＢに周期的にパイロット測定値を送ることができる。
【００２８】
ある設計において、局Ａおよび局Ｂの両方は、ｅＮＢによって指示された場合にピア発見パイロットを送信し、ｅＮＢによって指示された場合にＰ２Ｐ通信のためにｅＮＢとして働くことを含み得るＰ２Ｐ機能をサポートできる。ｅＮＢとして働く局（例えば、図２中の局Ａ）は他の局（例えば、図２中の局Ｂ）に対してネットワークへの接続性を与えることができる。別の設計では、１つの局がＰ２Ｐ機能をサポートする一方で、他の局がＰ２Ｐ機能をサポートしないレガシー局であることができる。レガシー局（例えば、図２中の局Ｂ）は他の局からのピア発見パイロットの測定を行い、パイロット測定値をｅＮＢに報告し、ｅＮＢによって指示された場合にＰ２Ｐ通信のためのＵＥとして働くことができる。
【００２９】
図２は、ピア発見パイロット送信の中央制御の特定の設計を示す。この設計では、ｅＮＢが局Ｂから受信したシグナリングに応答してピア発見パイロットの送信を開始することを局Ａに命令する。別の設計では、ｅＮＢが（局Ａではなく）局Ｂにピア発見パイロットの送信を開始することを命令する。この後、局Ａは、局Ｂからのピア発見パイロットを測定し、パイロット測定値をｅＮＢに報告できる。さらに別の設計では、ｅＮＢは、局Ａと局Ｂの両方に、ピア発見パイロットの送信を開始することを命令する。各局は、この後、他の局からのピア発見パイロットを測定し、パイロット測定値をｅＮＢに報告する。局Ａおよび局Ｂは、ダウンリンクおよびアップリンク上のチャネル状態の完全な認識をｅＮＢが取得可能にするためにそれらのピア発見パイロットをダウンリンクとアップリンクの両方の上で送信する。代替的には、１つの局がダウンリンク上でそのピア発見パイロットを送信し、他の局がアップリンク上でそのピア発見パイロットを送信できる。
【００３０】
ある設計では、複数の局と複数のピア発見パイロットとの間に１対１のマッピングがあることができる。この設計では、１つの局がそのピア発見パイロットに基づいて識別され得る。別の設計では、複数の局と複数のピア発見パイロットとの間に多対１のマッピングがあることができる。この設計では、複数の局が同じピア発見パイロットを送信できる。これらの局は、受信局によって検出されたピア発見パイロットの指示の受信に伴って送信局によって送られ得る第２のパイロットまたは送信に基づいて区別され得る。さらに別の設計では、複数の局と複数のピア発見パイロットとの間に１対多のマッピングがあることができる。この設計では、所与の局がこの局によってサポートされるおよび／または要求される複数のサービスについての異なるピア発見パイロットを送信できる。例えば、ラップトップは「私はゲームに興味がある」および「私はウェブサーバを提供している」に対応する２つのピア発見パイロットを送信できる。これらは、「表現(expressions)」と呼ばれることがある。
【００３１】
ある設計では、局についてのピア発見パイロットが静的であって、時間とともに変化できない。別の設計では、局についてのピア発見パイロットが時間変化的であって、時間とともに変化できる。この設計は、多数の局および／または表現に適応するために使用し得る。ピア発見パイロットは、このパイロットを生成するために使用されるシーケンスを変更することによって、および／またはパイロットを送るために使用される時間周波数リソースを変更することによって変化され得る。
【００３２】
一般に、同じ無線技術または異なる無線技術がピア発見パイロット送信、局間のＰ２Ｐ通信、並びに局およびｅＮＢ間のＷＷＡＮ通信のために使用できる。局Ａおよび局Ｂは、ＷＷＡＮ（例えば、ＬＴＥ−Ａ）によって使用されるものと同じ無線技術、あるいは異なる無線技術（例えば、特にＰ２Ｐ通信用に設計されたＦｌａｓｈＬｉｎＱ）を使用してピアツーピアに通信できる。ピア発見パイロットは、Ｐ２Ｐ通信またはＷＷＡＮ通信のために使用されるものと同じ無線技術、あるいは異なる無線技術を使用して送信されることができる。
【００３３】
一般に、同一または異なる周波数チャネル／スペクトルがピア発見パイロット送信、Ｐ２Ｐ通信、およびＷＷＡＮ通信のために使用できる。局Ａおよび局Ｂは、ＷＷＡＮ通信のために使用されるものと同じ周波数チャネル上でピアツーピアに通信できる。この場合、いくつかのリソースが局Ａと局Ｂとの間のＰ２Ｐ通信のために予約され得る。局Ａおよび局Ｂは、ＷＷＡＮ通信のために使用されない異なる周波数チャネル上で通信することもできる。ピア発見パイロットは、Ｐ２Ｐ通信またはＷＷＡＮ通信のために使用される同じ周波数チャネル上でも、異なる周波数チャネル上でも送信できる。
【００３４】
図２は、ある局が特定の局と通信することを望む場合のピア発見パイロット送信の一例を示す。これは、例えば、１つの局が、通信を望む他の局のユニークなＩＤを与えるときに確認され得る。ｅＮＢは、この後、一方または両方の局にピア発見パイロットを送信することを命令できる。ｅＮＢは送信局からのピア発見パイロットを検出したことを受信局に通知することもできる。
【００３５】
別の設計では、１つの局が特定のクラスの局の中の任意の局と通信することを望むことがある。例えば、ラップトップは必ずしも特定のプリンタではないが、その近傍のプリンタと通信することを望むことがある。この場合、ｅＮＢはラップトップの近傍にあるプリンタにピア発見パイロットを送信するように要請できる。一般に、要求側局が特定のピア局ではなく全般的なピア局と通信することに関心があるとき、ｅＮＢは要求側局の近傍の近くのピア局をアクティブ化して、ピア発見パイロットを送信できる。ｅＮＢはこの要求側局に、検出するための複数のピア局のセットからのピア発見信号のセットを与えることもできる。ｅＮＢは、地理的ロケーションおよび／または無線ロケーションを使用して、要求側局の近傍の近くのピア局を判断できる。地理的ロケーションは、衛星ベースのおよび／またはネットワークベースの測位方法に基づいて確認できる。無線ロケーションは、パイロット測定値に基づいて確認できる。例えば、複数の送信機（例えば、ｅＮＢ）のセットについて同様のパイロット測定値をもつ局は、近くの無線ロケーションにいると考えられる。
【００３６】
図２は、ｅＮＢがピア発見パイロットを送信することを一方または両方の局に指示し、その後、２つの局についてＰ２Ｐ通信またはＷＷＡＮ通信を選択する設計を示す。別の設計では、ｅＮＢが例えば、ピア発見パイロットを送信することを一方または両方の局に指示する前に、これら２つの局に対するＷＷＡＮ通信をサポートできる。これらの局からＰ２Ｐリンク並びにＷＷＡＮリンクについてのパイロット測定値を受信した後、ｅＮＢは２つの局にＷＷＡＮ通信を続けさせた方が良いか、あるいはＰ２Ｐ通信に切り替えた方が良いかを判断できる。
【００３７】
図２は、２つの局ＡおよびＢが単一のネットワークエンティティ（例えば、同じｅＮＢ）の制御下にあるシナリオを示す。別のシナリオでは、局Ａおよび局Ｂが異なるネットワークエンティティ（例えば、異なるｅＮＢ）の制御下にあるとすることができる。この場合、ピア局に関する情報および／またはそれらのピア発見パイロットに関する情報をこれらの局を制御するネットワークエンティティ間で交換できる。
【００３８】
ネットワークエンティティは、図２について上述したように、局によるピア発見パイロット送信を制御できる。局は例えば、その局がネットワークカバレージの外にあるとき、あるいは別の局が一般にピア発見パイロットを検出していると予想されるときに、ネットワーク制御なしにピア発見パイロットを送信することもできる。局は、その後、例えば、その局がネットワークカバレージ内に移動したとき、ネットワーク制御下でピア発見パイロットを送信できる。これは、フォールバックモード(fallback mode)と呼ばれることがある。
【００３９】
ピア検出のために使用されるピア発見パイロットは様々な方法で定義できる。ある設計では、ピア発見パイロットが通常ＷＷＡＮにおいてダウンリンクおよびアップリンク上で送られるパイロットおよび基準信号と（例えば、構造が）異なり得る。送信局は、他の局に送信局を検出させるためにピア発見パイロットを送信できる。受信局はピア発見パイロットの構造に基づいて送信局をｅＮＢまたはＵＥではなくピア局として区別できる。
【００４０】
別の設計では、ピア発見パイロットが、ＷＷＡＮ通信の場合にｅＮＢによってダウンリンク上で送られたり、ＵＥによってアップリンク上で送られたりするレガシー互換パイロットであることができる。ＬＴＥにおけるダウンリンクの場合、ピア発見パイロットが１次同期信号、２次同期信号、セル固有の基準信号、測位基準信号、ＵＥ固有の基準信号、および／またはｅＮＢによって送られる他の信号もしくは送信を含むことができる。ＬＴＥにおけるアップリンクの場合、ピア発見パイロットがサウンディング基準信号、復調基準信号、および／またはＵＥによって送られる他の信号もしくは送信を含むことができる。送信局は局に割り当てられた１つまたは複数の識別情報（ＩＤ）および／または他のパラメータに基づいてピア発見パイロットを生成し、ピア発見パイロットを送信できる。受信局は、例えば、ピア発見パイロットを生成するために使用される識別情報および／またはパラメータに基づいて、すなわちピア発見パイロットに基づいて送信局をｅＮＢやＵＥでなくピア局として区別できる。
【００４１】
図３は、ＬＴＥにおけるダウンリンクのために使用される例示的なフレーム構造３００を示す。ダウンリンクおよびアップリンクのための送信タイムラインは無線フレームの単位に分割できる。各無線フレームは、所定の持続時間（例えば、１０ミリ秒（ｍｓ））を有し、インデックス０〜９をもつ１０個のサブフレームに分割できる。各サブフレームは２つのスロットを含むことができる。従って、各無線フレームは、インデックス０〜１９をもつ２０個のスロットを含むことができる。各スロットは、Ｌ個のシンボル期間、例えば、（図３に示すように）通常の巡回プレフィックスの場合は７個のシンボル期間、または拡張された巡回プレフィックスの場合は６個のシンボル期間を含むことができる。各サブフレーム中の２Ｌ個のシンボル期間には０〜２Ｌ−１のインデックスを割り当てることができる。
【００４２】
ＬＴＥは、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは周波数範囲を一般にトーン、ビンなどとも呼ばれる複数（ＮFFT個）の直交サブキャリアに区分する。各サブキャリアはデータで変調され得る。一般に、変調シンボルはＯＦＤＭに関して周波数領域で送られ、ＳＣ−ＦＤＭに関して時間領域で送られる。隣接するサブキャリア間の間隔は固定されることができ、サブキャリアの総数（ＮFFT）はシステム帯域幅に依存し得る。例えば、ＮFFTは、それぞれ１．２５、２．５、５、１０または２０メガヘルツ（ＭＨｚ）のシステム帯域幅に対して１２８、２５６、５１２、１０２４または２０４８に等しくてよい。
【００４３】
ダウンリンクおよびアップリンクに利用可能な時間周波数リソースは複数のリソースブロックに分割され得る。各リソースブロックは、１個のスロット中の１２個のサブキャリアをカバーすることができ、いくつかのリソース要素を含むことができる。各リソース要素は、１個のシンボル期間中の１個のサブキャリアをカバーすることができ、実数値または複素数値であり得る１個の変調シンボルを送るために使用できる。ダウンリンク上では、ＯＦＤＭシンボルがサブフレームの各シンボル期間中で送られ得る。アップリンク上では、ＳＣ−ＦＤＭＡシンボルがサブフレームの各シンボル期間中で送られ得る。ＯＦＤＭシンボルまたはＳＣ−ＦＤＭＡシンボルは、送信のために使用されるリソース要素の０でない値と、送信のために使用されないリソース要素の０値とを含むことができる。
【００４４】
また、図３はＬＴＥにおける１つのセルのための１次同期信号および２次同期信号並びにセル固有の基準信号の例示的な送信を示す。１次同期信号（ＰＳＳ）および２次同期信号（ＳＳＳ）は、それぞれ、各無線フレームのスロット０および１０の各々のシンボル期間６および５において送られ得る。セル固有の基準信号（ＣＳＲＳ）は、（ｉ）図３に示すように２つのアンテナを備えるｅＮＢのための各スロットのシンボル期間０および４において、または（ｉｉ）４つのアンテナを備えるｅＮＢのための各スロットのシンボル期間０、１および４において送られ得る。
【００４５】
セルのための１次同期信号は、次のように生成できる。サンプル系列が、このセルのセルＩＤに基づいて生成できるＺａｄｏｆｆ−Ｃｈｕ系列に基づいて生成されることができる。サンプル系列は１次同期信号を搬送するＯＦＤＭシンボル中の（システム帯域幅の中心９３０ＫＨｚに対応する）６２個のリソース要素にマッピングされ得る。０値はＯＦＤＭシンボルの残りのリソース要素にマッピングされ得る。従って、１次同期信号はセルＩＤに基づいて生成され、システム帯域幅の中心９３０ＫＨｚで送られることができる。
【００４６】
セルのための２次同期信号は、次のように生成できる。擬似ランダム系列とスクランブル系列とのセットがこのセルのセルＩＤに基づいて生成されることができる。サンプル系列はＰＮ系列とスクランブル系列とのセットに基づいて生成されることができる。サンプル系列は、２次同期信号を搬送するＯＦＤＭシンボル中の（システム帯域幅の中心９３０ＫＨｚに対応する）６２個のリソース要素にマッピングされ得る。０値はＯＦＤＭシンボル中の残りのリソース要素にマッピングされ得る。従って、２次同期信号はセルＩＤに基づいて生成され、システム帯域幅の中心９３０ＫＨｚで送られることができる。
【００４７】
セルのためのセル固有の基準信号は、次のように生成できる。基準信号系列はセルのセルＩＤに基づいて初期化され得る擬似ランダム系列に基づいて生成されることができる。基準信号系列はセル固有の基準信号を搬送するＯＦＤＭシンボル中のリソース要素のセットにマッピングされ得る。リソース要素のセットはセルＩＤに基づいて選択されたサブキャリアを占有し、６個のサブキャリアだけ離間され得る。
【００４８】
ある設計では、ピア発見パイロットは、ダウンリンク上で送られる１次同期信号および２次同期信号を含むことができる。送信局には、局を識別するために使用されるセルＩＤを割り当てることができる。このセルＩＤは、衝突を回避するために、近くのセルに割り当てられたセルＩＤとは異なるように選択される。このセルＩＤはまた、近くのセルのセルＩＤとの衝突を軽減するために時間変化的とすることもできる。いずれの場合にも、送信局は、その割り当てられたセルＩＤに基づいて、１次同期信号および２次同期信号を生成し、ｅＮＢと同様の方式で同期信号を送信できる。受信局は、ｅＮＢからの同期信号と同様の方式で送信局からの同期信号を検出し、測定できる。
【００４９】
ピア発見パイロットのための同期信号の使用は、Ｐ２Ｐ通信のための通常のＵＥとして動作し得る複数のレガシーＵＥのためにＰ２Ｐ通信をサポートできる。しかしながら、ピア発見のための同期信号の送信により、シングルキャリア展開においてカバレージホールがもたらされ得る。ｅＮＢは、ピア発見のための同期信号の送信による停止（outage）がないようにするためにパイロット測定値を監視できる。
【００５０】
別の設計では、ピア発見パイロットがダウンリンク上で送られるセル固有の基準信号を含むことができる。送信局には、局を識別するために使用されるセルＩＤを割り当てることができる。送信局は、割り当てられたセルＩＤに基づいてセル固有の基準信号を生成し、ｅＮＢと同様の方式でセル固有の基準信号を送信できる。受信局は、ｅＮＢからのセル固有の基準信号と同様の方式で送信局からのセル固有の基準信号を検出し、測定できる。
【００５１】
さらに別の設計では、ピア発見パイロットがダウンリンク上で送られる測位基準信号を含むことができる。測位基準信号は低再使用プリアンブル（ＬＲＰ）と呼ばれることもあり、たとえ高い干渉を観測する局でも検出可能なように低再使用で送信され得る。いくつかの時間周波数リソースが測位基準信号を送信するために予約され得る。送信局は、予約された時間周波数リソースのうちのいくつかの上で測位基準信号を送信できる。
【００５２】
さらに別の設計では、ピア発見パイロットがダウンリンク上で送られるＵＥ固有の基準信号を含むことができる。ＵＥ固有の基準信号は、擬似ランダム系列に基づいて生成されることができる。ＷＷＡＮ通信の場合、擬似ランダム系列は送信側セルのセルＩＤと受信側ＵＥのＵＥ  ＩＤとに基づいて初期化され得る。ピア発見の場合、擬似ランダム系列は送信局に割り当てられたセルＩＤおよび／または受信局に割り当てられたＵＥ  ＩＤに基づいて初期化され得る。基準信号系列は、ＵＥ固有の基準信号を搬送するＯＦＤＭシンボル中のリソース要素のセットにマッピングされ得る。
【００５３】
さらに別の設計では、ピア発見パイロットがアップリンク上で送られるサウンディング基準信号を含むことができる。サウンディング基準信号はサウンディング基準信号系列に基づいて生成され、サウンディング基準信号系列は基本系列の巡回シフトに基づいて生成され得る。ＷＷＡＮ通信の場合、巡回シフトはＵＥ用に構成され得る。ピア発見の場合、巡回シフトは送信局用に構成され得る。また、送信局にはサウンディング基準信号をその中で送るべきリソース要素のセットとサブフレームのセットとを割り当てることができる。送信局は、その割り当てられたパラメータに基づいてサウンディング基準信号系列を生成し、この系列を、サウンディング基準信号を搬送する各ＳＣ−ＦＤＭＡシンボル中のリソース要素のセットにマッピングできる。リソース要素のセットは、特定の開始サブキャリアとセット中の連続するサブキャリア間の特定の間隔とによって定義できるサブキャリアのセットを占有できる。送信局は、ＵＥと同様の方式でサウンディング基準信号を搬送するＳＣ−ＦＤＭＡシンボルを送信できる。受信局は、ＵＥからのサウンディング基準信号と同様の方式で送信局からのサウンディング基準信号を検出し、測定できる。
【００５４】
さらに別の設計では、ピア発見パイロットがアップリンク上で送られる復調基準信号を含むことができる。復調基準信号は基本系列の巡回シフトに基づいて生成され得る。ＷＷＡＮ通信の場合、巡回シフトはＵＥ用に構成され得る。ピア発見の場合、巡回シフトは送信局用に構成され得る。復調基準信号は、送信用に割り当てられた１つまたは複数のリソースブロック上で送られることができる。
【００５５】
上述した同期信号および基準信号は、公開されている「Evolved Universal Terrestrial Radio Access (E-UTRA); Physical Channels and Modulation (Release 8)」と題する３ＧＰＰ  ＴＳ  ３６．２１１に記載されているように生成され、送信されることができる。
【００５６】
別の設計では、ピア発見パイロットが物理ランダムアクセスチャネル（ＰＲＡＣＨ）、物理ダウンリンク制御チャネル（ＰＤＣＣＨ）、物理ダウンリンク共有チャネル（ＰＤＳＣＨ）、またはダウンリンクのための何らかの他の物理チャネル上で送られる送信を含むことができる。さらに別の設計では、ピア発見パイロットが、物理アップリンク制御チャネル（ＰＵＣＣＨ）、物理アップリンク共有チャネル（ＰＵＳＣＨ）、またはアップリンクのための何らかの他の物理チャネル上で送られる送信を含むことができる。
【００５７】
一般に、ピア発見パイロットは、１つまたは複数の同期信号および／またはピア局の発見のために使用できる１つまたは複数の基準信号を含むことができる。また、ピア発見パイロットは特にピア発見について定義および送信できるパイロットを含むことができる。また、ピア発見パイロットは１つまたは複数の物理チャネル上で送られる１つまたは複数の送信を含むことができる。ピア発見パイロットは、マルチキャスト／ブロードキャスト単一周波数ネットワーク（ＭＢＳＦＮ）サブフレームなどにおいてピア発見パイロットを送信するために予約された時間周波数リソース上で、ダウンリンクまたはアップリンク上の１つまたは複数の未使用のリソースブロックにおいて送信されることができる。ＭＢＳＦＮサブフレームは、通常、マルチキャストおよび／またはブロードキャストデータを複数のＵＥに送るために使用されるサブフレームである。ＭＢＳＦＮサブフレームはセル固有の基準信号をより少ないシンボル期間に送らせることができ、サブフレームのより多くを他の送信に使用させることができる。
【００５８】
異なるタイプのピア発見パイロットは異なる範囲を有することができる。例えば、同期信号は基準信号よりも広い範囲を有することができる。また、ピア発見パイロットの範囲は、ネットワークが（ｉ）同様のフレームタイミングをもつ全てのｅＮＢとの同期ネットワークであるか、あるいは（ｉｉ）独立したフレームタイミングをもつｅＮＢとの非同期ネットワークであるかに依存し得る。ネットワークにおける他の送信からの干渉がピア発見パイロットに勝ることがあるので、低再使用プリアンブルのようないくつかのタイプのピア発見パイロットが非同期ネットワークにおいて利用できないことがある。
【００５９】
ある設計では、送信局がピア発見パイロットの送信電力を近くの局への途絶を軽減するためにゆっくりランプアップ(ramp up)する。このようにゆっくりランプアップすることにより、受信局並びに送信局の近傍にある他の局の停止(outage)を防ぐことができる。ゆっくりランプアップすることは、ピア発見パイロットがダウンリンク上で送られる１次同期信号および２次同期信号を含んだり、アップリンク上で送られるサウンディング基準信号を含んだりする場合に特に適切であり得る。
【００６０】
上述した設計では、ｅＮＢがピア発見パイロットのための構成情報を送信局および、ことによって受信局に送ることができる。この構成情報は、ピア発見パイロットのための関連パラメータを伝達できる。これらパラメータは、ピア発見パイロットを生成するために使用されるパラメータ（例えば、セルＩＤ、巡回シフト、コードなど）、ピア発見パイロットを送信するために使用されるリソースのためのパラメータなどを含むことができる。送信局は、構成情報に従ってピア発見パイロットを生成し、送信できる。受信局は、利用可能であれば構成情報に基づいてピア発見パイロットを検出できる。構成情報が利用可能でなければ、受信局はすべての可能なパラメータ値に基づいてピア発見パイロットを検出することもできる。
【００６１】
別の態様では、Ｐ２Ｐ通信の中央制御がパフォーマンスを改善するためにサポートされることができる。指定されたネットワークエンティティ（例えば、ｅＮＢ、ＭＭＥなど）がそのカバレージエリア内に位置する局のためのＰ２Ｐ通信を制御できる。ネットワークエンティティは、Ｐ２Ｐ通信のための局の選択、リソース割当て、干渉管理のような様々な態様のＰ２Ｐ通信を制御できる。ネットワークエンティティは、互いに通信することを望む局からパイロット測定値を受信し、その局について、Ｐ２Ｐ通信またはＷＷＡＮ通信のいずれかを選択できる。
【００６２】
ある設計では、２つの局についてＰ２Ｐ通信が選択された場合に、ネットワークエンティティがＰ２Ｐ通信のために２つの局にリソースを割り当てることができる。割り当てられたリソースは時間周波数リソース（または帯域幅）などを含むことができる。また、ネットワークエンティティはＰ２Ｐ通信のために２つの局に送信電力レベルを割り当てることができる。ある設計では、ダウンリンクリソースとアップリンクリソースの両方がＰ２Ｐ通信のために予約されることができ、ＷＷＡＮ通信のために使用され得ない。これは、セル分割利得を可能にするためにピコセルのためにいくつかのリソースを予約するマクロｅＮＢと同様であることができる。この設計では、１つの局がｅＮＢとして働き、ダウンリンクリソースを使用して送信することができ、他の局がＵＥとして働き、アップリンクリソースを使用して送信できる。この設計は、２つの局がＷＷＡＮ通信のために使用される同じ無線技術（例えば、ＬＴＥ、８０２．１１）を使用して通信することを可能にする。別の設計では、一方向のみのリソース（例えば、アップリンク）がＰ２Ｐ通信のために割り当てられることができる。この設計では、２つの局が時分割二重化（ＴＤＤ）を使用してアップリンク上でピアツーピアに通信できる。
【００６３】
２つの局は同じタイプ、例えば、２つのＵＥであることができる。２つの局は、異なるタイプであることもできる。例えば、１つの局がＵＥであるが、他の局がフェムトセルであることができる。この場合、ネットワークエンティティは、ＵＥがアクティブになったとき、あるいはＵＥの地理的ロケーションまたは無線ロケーション、ＵＥの以前の地理的／無線履歴などに基づいて、送信を開始することをフェムトセル（またはホームｅＮＢ）に指示できる。
【００６４】
また、ネットワークエンティティは他の局のためのリレーとして働くことをいくつかの局に指示し、これらの局にリソースを割り当てることができる。ネットワークエンティティは、容量、干渉、ＵＥ電力および複雑度、ＵＥモビリティなどの様々な基準に基づいて、どの局をリレーとして選択すべきか判断できる。例えば、ネットワークエンティティは、アクセスリンク上およびバックホールリンク上の両方で最少量の干渉をもたらすような局を選択できる。また、ネットワークエンティティは単一の局のためのリレーとして働く複数の局を選択できる。
【００６５】
図４は、Ｐ２Ｐ通信をサポートするためのプロセス４００の設計を示す。プロセス４００は、基地局／ｅＮＢ、ネットワークコントローラ、または何らかの他のエンティティであることができるネットワークエンティティによって実行できる。例えば、ネットワークエンティティは、そのカバレージ内のＵＥのためのピアツーピア通信を制御する基地局であることができる。別の例として、ネットワークエンティティは、その制御内のセルのクラスタ中のＵＥのためのピアツーピア通信を制御するネットワークコントローラであることができる。ネットワークエンティティは、ピア発見パイロット送信をトリガするシグナリングを受信できる（ブロック４１２）。ネットワークエンティティは、１つまたは複数の局に少なくとも１つの局を検出させるためにピア発見パイロットを送信することを少なくとも１つの局の各々に指示できる（ブロック４１４）。
【００６６】
ある設計のブロック４１２において、ネットワークエンティティは第２の局との通信を開始するために第１の局によって送られたシグナリングを受信できる。ある設計のブロック４１４において、ネットワークエンティティは第１の局に第２の局を検出させるためにピア発見パイロットを送信することを第２の局に指示できる。別の設計のブロック４１４において、ネットワークエンティティは第２の局に第１の局を検出させるためにピア発見パイロットを送信することを第１の局に指示できる。さらに別の設計のブロック４１４において、ネットワークエンティティは、各局に他の局を検出させるためにピア発見パイロットを送信することを第１および第２の局に指示できる。
【００６７】
別の設計のブロック４１２において、ネットワークエンティティは特定のクラスの局の中の任意の局との通信を開始するために第１の局からのシグナリングを受信できる。別の設計のブロック４１４において、ネットワークエンティティは、第１の局に特定のクラス中の局を検出させるためにピア発見パイロットを送信することをその特定のクラス中の各局に指示できる。
【００６８】
さらに別の設計のブロック４１２において、ネットワークエンティティはフェムトセルとの通信を開始するためにＵＥからのシグナリングを受信でき。さらに別の設計のブロック４１４において、ネットワークエンティティは、ＵＥがアクティブになったとき、あるいはＵＥの地理的ロケーション、ＵＥの無線ロケーション、ＵＥの地理的もしくは無線ロケーションの履歴、またはその組合せに基づいて、ピア発見パイロットを送信することをフェムトセルに指示できる。
【００６９】
ある設計において、ピア発見パイロットは、少なくとも１つの同期信号、例えば、１次同期信号および２次同期信号を含むことができる。別の設計において、ピア発見パイロットは少なくとも１つの基準信号、例えば、セル固有の基準信号、ＵＥ固有の基準信号、測位基準信号、サウンディング基準信号、復調基準信号、または何らかの他の基準信号を含むことができる。さらに別の設計において、ピア発見パイロットは少なくとも１つの物理チャネル上の少なくとも１つの送信を含むことができる。少なくとも１つの送信はピア発見のために使用されることができる。
【００７０】
ネットワークエンティティは、１つまたは複数の局からのパイロット測定値を受信できる（ブロック４１６）。各局からのパイロット測定値は、少なくとも１つの局からの少なくとも１つのピア発見パイロットについてのパイロット測定値、基地局からの基準信号についてのパイロット測定値などを含むことができる。ネットワークエンティティは、第１および第２の局のためにピアツーピア通信を選択すべきか否かをパイロット測定値に基づいて判断する（ブロック４１８）。第１の局は、ピア発見パイロットを送信する少なくとも１つの局のうちの１つであることができる。第２の局は、ピア発見パイロットを受信する１つまたは複数の局のうちの１つであることができる。ピアツーピア通信が選択された場合、ネットワークエンティティが第１および第２の局にリソースを割り当てて、割り当てられたリソースを示す情報をこれらの局に送ることができる。ピアツーピア通信が選択されなかった場合、ネットワークエンティティがＷＷＡＮを介して通信することを第１および第２の局に指示できる。
【００７１】
ある設計において、第１および第２の局は、ピア発見パイロットを送信することを指示される前に、ＷＷＡＮにおける少なくとも１つの基地局を介して通信できる。第１および第２の局は、ピア発見パイロットを送信することを指示された後にピアツーピアに通信することを指示され得る。
【００７２】
あるシナリオでは、（１つまたは複数の）ピア発見パイロットを送信する（１つまたは複数の）局、および（１つまたは複数の）ピア発見パイロットを受信する（１つまたは複数の）局がネットワークエンティティの制御下にあることができる。別のシナリオでは、（１つまたは複数の）送信局、および（１つまたは複数の）受信局が異なるネットワークエンティティの制御下にあることができる。例えば、ネットワークエンティティは送信局および受信局の第１のサブセットを制御でき、第２のネットワークエンティティは送信局および受信局の第２のサブセットを制御できる。ネットワークエンティティは、（１つまたは複数の）送信局のための情報、（１つまたは複数の）受信局のための情報、（１つまたは複数の）ピア発見パイロットのための情報、および／または他の情報を交換するために第２のネットワークエンティティと通信できる。
【００７３】
図５は、Ｐ２Ｐ通信をサポートする装置５００の設計を示す。装置５００は、ピア発見パイロット送信をトリガするシグナリングをネットワークエンティティで受信するためのモジュール５１２と、１つまたは複数の局に少なくとも１つの局を検出させるためにピア発見パイロットを送信することを少なくとも１つの局の各々に指示するためのモジュール５１４と、１つまたは複数の局からのパイロット測定値を受信するためのモジュール５１６と、第１および第２の局のためにピアツーピア通信を選択すべきか否かをパイロット測定値に基づいて判断するためのモジュール５１８とを含む。第１の局はピア発見パイロットを送信する少なくとも１つの局のうちの１つであることができ、第２の局はピア発見パイロットを受信する１つまたは複数の局のうちの１つであることができる。
【００７４】
図６は、Ｐ２Ｐ通信をサポートするためのプロセス６００の設計を示す。プロセス６００は、ＵＥ、フェムトセルなどであることができる第１の局によって行うことができる。第１の局は、ネットワークエンティティから、ピア発見パイロットを送信する指示を受信できる（ブロック６１２）。また、第１の局はピア発見パイロットを生成し送信するために使用される構成情報を受信できる。第１の局は、１つまたは複数の局に第１の局を検出させるためにピア発見パイロットを送信できる（ブロック６１４）。ピア発見パイロットは、少なくとも１つの同期信号、または少なくとも１つの基準信号、または少なくとも１つの物理チャネル上の少なくとも１つの送信、あるいはその組合せを含むことができる。第１の局は、第２の局とピアツーピアに通信できる（ブロック６１６）。ピアツーピア通信は、第１の局からのピア発見パイロットについて第２の局によって行われたパイロット測定に基づきネットワークエンティティによって選択され得る。
【００７５】
ピア発見パイロットを送信する指示は、様々な方式でネットワークエンティティによって生成され得る。ある設計において、第１の局は第２の局との通信を開始するためにシグナリングを送り、ネットワークエンティティは第１の局からのシグナリングに基づいて指示を生成する。別の設計において、ネットワークエンティティは第１の局との通信を開始するために、第２の局によって送られたシグナリングに基づいて指示を生成する。さらに別の設計において、ネットワークエンティティは特定のクラスの局の中の任意の局との通信を開始するために、第２の局によって送られたシグナリングに基づいて指示を生成する。第１の局は特定のクラスに属することができる。さらに別の設計において、第１の局はフェムトセルであることができ、ネットワークエンティティはフェムトセルによってサービスされるＵＥがアクティブでなったこと、あるいはＵＥの地理的ロケーション、ＵＥの無線ロケーション、ＵＥの地理的または無線ロケーションの履歴、またはその組合せに基づいて指示を生成する。また、ネットワークエンティティは他の方式で指示を生成できる。
【００７６】
あるシナリオにおいて、第１の局はネットワークエンティティの制御下でピア発見パイロットを送信できる。別のシナリオにおいて、第１の局は例えば、第１の局がネットワークカバレージの外にいるときにネットワークエンティティからの指示を受信する前にピア発見パイロットの送信を開始できる。その後、第１の局は例えば、第１の局がネットワークカバレージ内に移動したときにネットワークエンティティの制御下でピア発見パイロットを送信できる。
【００７７】
図７は、Ｐ２Ｐ通信をサポートする装置７００の設計を示す。装置７００は、ピア発見パイロットを送信する指示を受信するためのモジュール７１２であって、指示がネットワークエンティティによって第１の局に送られるモジュール７１２と、１つまたは複数の局に第１の局を検出させるために第１の局からピア発見パイロットを送信するためのモジュール７１４と、第２の局とピアツーピアに通信するためのモジュール７１６とを含む。ピアツーピア通信は、第１の局からのピア発見パイロットについて第２の局によって行われたパイロット測定に基づきネットワークエンティティによって選択され得る。
【００７８】
図８に、Ｐ２Ｐ通信をサポートするためのプロセス８００の設計を示す。プロセス８００は、ＵＥまたは何らかの他のエンティティとすることができる第２の局によって実行できる。第２の局は、第１の局からのピア発見パイロットを受信する（ブロック８１２）。第２の局は、ネットワークエンティティからのピア発見パイロットについての構成情報を受信し、構成情報に基づいて、ピア発見パイロットを受信する。代替的に、第２の局は、第１の局からのピア発見パイロットを自律的に検出する。いずれの場合にも、第２の局は、ピア発見パイロットのパイロット測定を行い（ブロック８１４）、パイロット測定値をネットワークエンティティに送る（ブロック８１６）。第２の局は、その後、第１の局とピアツーピアに通信する（ブロック８１８）。ピアツーピア通信は、第２の局からのパイロット測定値に基づいてネットワークエンティティによって選択され得る。
【００７９】
ある設計において、ネットワークエンティティは、第２の局との通信を開始するために、第１の局によって送られたシグナリングに応答して第１の局によるピア発見パイロットの送信を開始できる。別の設計において、ネットワークエンティティは、第１の局との通信を開始するために、第２の局によって送られたシグナリングに応答して第１の局によるピア発見パイロットの送信を開始できる。さらに別の設計において、ネットワークエンティティは、特定のクラスの局の中の任意の局との通信を開始するために、第２の局によって送られたシグナリングに応答して第１の局によるピア発見パイロットの送信を開始できる。第１の局は特定のクラスに属することができる。さらに別の設計において、第１の局はフェムトセルであることができ、第２の局はフェムトセルによってサービスされるＵＥであることができる。ネットワークエンティティは、ＵＥがアクティブになったとき、あるいはＵＥの地理的ロケーション、ＵＥの無線ロケーション、ＵＥの地理的または無線ロケーションの履歴、またはその組合せに基づいて、フェムトセルによってピア発見パイロットの送信を開始できる。
【００８０】
図９は、Ｐ２Ｐ通信をサポートする装置９００の設計を示す。装置９００は、第１の局からのピア発見パイロットを受信するためのモジュール９１２と、第２の局によってピア発見パイロットのパイロット測定を行うためのモジュール９１４と、第２の局からネットワークエンティティにパイロット測定値を送るためのモジュール９１６と、第１の局とピアツーピアに通信するためのモジュール９１８とを含む。ピアツーピア通信は第２の局からのパイロット測定値に基づいてネットワークエンティティによって選択され得る。
【００８１】
図５、図７および図９のモジュールは、プロセッサ、電子デバイス、ハードウェアデバイス、電子構成要素、論理回路、メモリ、ソフトウェアコード、ファームウェアコードなど、またはそれらの任意の組合せを含むことができる。
【００８２】
明快さのために、上記説明の大部分がＰ２Ｐ通信およびＷＷＡＮ通信に言及している。一般に、本明細書で説明する技法は、Ｐ２Ｐ通信、並びに（ｉ）局と基地局／ｅＮＢとの間のＷＷＡＮ通信、（ｉｉ）（例えば、Ｗｉ−Ｆｉを使用した）局とアクセスポイントとの間のＷＬＡＮ通信、および（ｉｉｉ）（例えば、Ｂｌｕｅｔｏｏｔｈを使用した）局とデバイスとの間のＷＰＡＮ通信に適用可能である。従って、上記説明におけるＷＷＡＮ通信への言及は、ＷＷＡＮ通信、ＷＬＡＮ通信、および／またはＷＰＡＮ通信と置き換えられ得る。
【００８３】
図１０は、基地局／ｅＮＢ１１０、並びに２つの局１２０および１２２の設計のブロック図を示す。各局はＵＥまたは何らかの他のエンティティであることができる。基地局１１０において、送信（ＴＸ）データプロセッサ１０１０は局に送るデータを受信し、その局のための１つまたは複数の変調およびコーディング方式に従って各局のためのデータを処理して（例えば、符号化し、変調して）データシンボルを得ることができる。また、プロセッサ１０１０は制御情報を処理して制御シンボルを得て、基準信号および同期信号のための基準シンボルを生成し、データシンボル、制御シンボル、および基準シンボルを多重化できる。プロセッサ１０１０はさらに、（例えば、ＯＦＤＭなどのために）多重化されたシンボルを処理して出力サンプルを生成できる。送信機（ＴＭＴＲ）１０１２は出力サンプルを調整（例えば、アナログ変換、増幅、フィルタ処理、およびアップコンバート）し、局１２０および１２２に送信できるダウンリンク信号を生成できる。
【００８４】
局１２０では、基地局１１０からのダウンリンク信号が受信され、受信機（ＲＣＶＲ）１０３６に与えられる。受信機１０３６は受信信号を調整（例えば、フィルタ処理、増幅、ダウンコンバート、およびデジタル化）し、入力サンプルを与えることができる。受信（ＲＸ）データプロセッサ１０３８は（例えば、ＯＦＤＭなどのために）入力サンプルを処理して受信シンボルを得ることができる。プロセッサ１０３８はさらに、受信シンボルを処理（例えば、復調および復号）して、局１２０に送られるデータおよび制御情報を復元できる。アップリンク上では、ＴＸデータプロセッサ１０３０が局１２０によって送られるデータおよび制御情報を処理して（例えば、符号化し、変調して）データシンボルおよび制御シンボルを得ることができる。プロセッサ１０３０はまた、ピア発見パイロットおよび／または他の基準信号のための基準シンボルを生成し、データおよび制御シンボルを基準シンボルと多重化し、（例えば、ＳＣ−ＦＤＭＡなどのために）多重化されたシンボルを処理して出力サンプルを得ることができる。送信機１０３２は出力サンプルを調整し、基地局１１０および／または局１２２に送信できるアップリンク信号を生成できる。
【００８５】
基地局１１０において、局１２０からのアップリンク信号は受信機１０１６によって受信、調整され、局１２０によって送られたデータおよび制御情報を回復するためにＲＸデータプロセッサ１０１８によって処理されることができる。コントローラ／プロセッサ１０２０は、ダウンリンクおよびアップリンク上のデータ送信を制御できる。
【００８６】
また、局１２０は局１２２とピアツーピアに通信できる。データ、制御情報、ピア発見パイロット、および基準信号は、ＴＸデータプロセッサ１０３０によって処理され、送信機１０３２によって調整されて、局１２２に送信できるＰ２Ｐ信号を生成できる。局１２２は局１２０からのＰ２Ｐ信号を受信できる。Ｐ２Ｐ信号は受信機１０３６によって調整され、局１２０によって送られたデータ、制御情報、ピア発見パイロット、および基準信号を回復するためにＲＸデータプロセッサ１０３０によって処理されることができる。
【００８７】
局１２２は、局１２０における対応するユニットと同様の方式で動作できる受信機１０５２、送信機１０５８、ＲＸデータプロセッサ１０５４、ＴＸデータプロセッサ１０５６、コントローラ／プロセッサ１０６０、およびメモリ１０６２を含む。
【００８８】
コントローラ／プロセッサ１０２０、１０４０および１０６０は、それぞれ、基地局１１０、局１２０、および局１２２において動作を制御できる。また、コントローラ／プロセッサ１０２０は図４におけるプロセス４００および／または本明細書で説明する技法のための他のプロセスを行ったり指示したりできる。コントローラ／プロセッサ１０４０および１０６０は、各々、図６におけるプロセス６００、図８におけるプロセス８００、および／または本明細書で説明する技法のための他のプロセスを行ったり指示したりできる。また、コントローラ／プロセッサ１０２０、１０４０および１０６０はそれぞれ、図２におけるｅＮＢ、局Ａ、および局Ｂのための処理を指示したり実行行ったりできる。メモリ１０２２、１０４２および１０６２は、それぞれ、基地局１１０、局１２０、および局１２２のためのデータおよびプログラムコードを記憶できる。
【００８９】
情報および信号は様々な異なる技術および技法のいずれかを使用して表すことができることを、当業者は理解されよう。例えば、上記説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【００９０】
さらに、本明細書の開示に関連して説明した様々な例示的な論理ブロック、モジュール、回路、およびアルゴリズムステップは、電子ハードウェア、コンピュータソフトウェア、または両方の組合せとして実施できることを、当業者は諒解されよう。ハードウェアとソフトウェアのこの互換性を明確に示すために、様々な例示的な構成要素、ブロック、モジュール、回路、およびステップを、上の記述では概して、それらの機能に関して説明した。そのような機能をハードウェアとして実施するか、ソフトウェアとして実施するかは、特定の適用例および全体的なシステムに課される設計制約に依存する。当業者は、説明した機能を特定の適用例ごとに様々なやり方で実施できるが、そのような実施の決定は、本開示の範囲からの逸脱を生じるものと解釈すべきではない。
【００９１】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実施または実行できる。汎用プロセッサは、マイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実施することもできる。
【００９２】
本明細書の開示に関して説明する方法またはアルゴリズムのステップは、直接ハードウェアで実施するか、プロセッサによって実行されるソフトウェアモジュールで実施するか、またはその２つの組合せで実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体中に常駐できる。例示的な記憶媒体は、プロセッサが記憶媒体から情報を読み取り、記憶媒体に情報を書き込むことが可能なように、プロセッサに結合される。代替として、記憶媒体はプロセッサに一体化できる。プロセッサおよび記憶媒体はＡＳＩＣ中に常駐できる。ＡＳＩＣはユーザ端末中に常駐できる。代替として、プロセッサおよび記憶媒体は、ユーザ端末中に個別構成要素として常駐することもできる。
【００９３】
１つまたは複数の例示的な設計では、説明した機能を、ハードウェア、ソフトウェア、ファームウェア、またはそれらの組合せで実施できる。ソフトウェアで実施する場合、機能は、１つまたは複数の命令またはコードとしてコンピュータ可読媒体上に記憶するか、あるいはコンピュータ可読媒体を介して送信できる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形の所望のプログラムコード手段を搬送または記憶するために使用でき、汎用または専用コンピュータあるいは汎用または専用プロセッサによってアクセスできる任意の他の媒体を備えることができる。また、いかなる接続もコンピュータ可読媒体と適切に呼ばれる。例えば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク(登録商標)（disc）、光ディスク（disc）、デジタル多用途ディスク（disc）（ＤＶＤ）、フロッピー(登録商標)ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００９４】
本開示の上記説明は、当業者が本開示を作成または使用可能にするために提供されるものである。本開示に対する様々な変形は当業者には容易に明らかであり、本明細書で定義した一般原理は、本開示の趣旨または範囲から逸脱することなく他の変形形態に適用できる。従って、本開示は、本明細書で説明する例および設計に限定されるものではなく、本明細書で開示する原理および新規の特徴に合致する最も広い範囲を与えられるべきである。
【図１】
2012514435.tif 000003
【図２】
2012514435.tif 000004
【図３】
2012514435.tif 000005
【図４】
2012514435.tif 000006
【図５】
2012514435.tif 000007
【図６】
2012514435.tif 000008
【図７】
2012514435.tif 000009
【図８】
2012514435.tif 000010
【図９】
2012514435.tif 000011
【図１０】
2012514435.tif 000012
【国際調査報告】
2012514435.tif 000013
2012514435.tif 000014